(57)【要約】      （修正有）【課題】水中に投入された仕掛けの周辺を撮影することができるように、水中カメラを釣り用天秤や道糸と仕掛けとの間に簡単に取り付けることができるカメラ取付具を提供する。【解決手段】カメラ取付具１は、一端側及び他端側に一対の穴１１ａ、１１ｂを有する上位片１１、上下方向に延びる他端側に上下一対の穴１２ａ、１２ｂを有する下位片１２及び上位片１１と下位片１２とを一端側で連結する連結片１３からなるステンレス製の取付具本体１０と、取付具本体１０の穴１１ａ、１１ｂ、１２ｂに取り付けられた３つの２重リング２１、２２、２３と、下位の２重リング２３に取り付けられたスナップサルカン３０とを備えており、上位片１１の穴１１ｂ、下位片１２の穴１２ａ及び穴１２ｂが直線上に配置されている。【選択図】図１
0003232110.tif 000002
【実用新案登録請求の範囲】
【請求項１】
水中に投入された釣り用仕掛けの周辺を撮影する水中カメラを釣り用天秤に取り付ける板状のカメラ取付具であって、
前記釣り用天秤の錘吊下部材に取り付ける取付部及び前記釣り用天秤の仕掛け側天秤棒を支持する天秤棒支持部を有する上位片と、
前記水中カメラを取り付けるカメラ取付部及び前記カメラ取付部の下方側で錘を吊り下げる錘吊下部を有する下位片と、
前記上位片と前記下位片とを連結する連結片と
を備えていることを特徴とするカメラ取付具。
【請求項２】
下端に錘を取り付けた状態で水中に投入された釣り用仕掛けの周辺を撮影する水中カメラを道糸と釣り用仕掛けとの間に取り付けるカメラ取付具であって、
道糸に取り付ける取付部を有する上位片と、
前記水中カメラを取り付けるカメラ取付部及び前記カメラ取付部の下方側で釣り用仕掛けを取り付ける仕掛け取付部を有する下位片と、
前記上位片と前記下位片とを連結する連結片と
を備え、
前記上位片の取付部、前記下位片のカメラ取付部及び仕掛け取付部が直線上に配置されていることを特徴とするカメラ取付具。
【考案の詳細な説明】
【技術分野】
【０００１】
この考案は、水中に投入された釣り用仕掛けの周辺を撮影するカメラを釣り用天秤や道糸と釣り用仕掛けとの間に取り付けるカメラ取付具に関する。
【背景技術】
【０００２】
例えば、船釣りでは、船長が釣り船に搭載された魚群探知器によって魚影の濃い水域や水深等の情報を収集し、こういった情報に基づいて対象魚等の水中での位置や深さを想定しながら、仕掛けの投入ポイントを釣り人に指示するのが一般的である。
【０００３】
しかしながら、魚群探知機によって得られる情報は、主として魚群の位置と水深であり、具体的な魚種については特定することができないため、船長から指示された仕掛けの投入ポイントが対象魚等のポイントでない場合もあり、釣果が伸びない要因の一つとなっている。
【０００４】
このため、船舶から伸ばすケーブルの先端にテレビカメラを搭載した曳航体を接続すると共に、この曳航体のテレビカメラと船舶に設置したテレビ受像機とを有線若しくは無線で接続し、釣り具とは別に曳航体を水中に投入することで、テレビカメラにより撮影した水中の映像を船舶に設置したテレビ受像機で確認しながら、釣りを行う方法が提案されている（特許文献１参照）。
【先行技術文献】
【特許文献】
【０００５】
【特許文献１】特開平１０−２７６６４４号公報
【考案の概要】
【考案が解決しようとする課題】
【０００６】
しかしながら、上述したように、釣り具とは別に曳航体を水中に投入する場合、水中に投入した仕掛けの周辺を曳航体に搭載したテレビカメラで確実に撮影することは難しく、仕掛けの周辺を遊泳している魚種を的確に把握することができないといった問題がある。
【０００７】
ところで、近年は、主にアウトドアスポーツ中の光景を撮影することに最適化された小型デジタルビデオカメラが登場し、臨場感のある映像を撮影することができるようになってきており、こういった小型デジタルビデオカメラを用いて水中に投入した仕掛けの周辺を撮影できれば、魚群探知機によって得られる情報と相まって対象魚等のポイントを的確に把握することができる。
【０００８】
そこで、この考案の課題は、水中に投入された仕掛けの周辺を撮影することができるように、上述した小型デジタルビデオカメラ等の水中カメラを釣り用天秤や道糸と仕掛けとの間に簡単に取り付けることができるカメラ取付具を提供することにある。
【課題を解決するための手段】
【０００９】
上記の課題を解決するため、請求項１に係る考案は、水中に投入された釣り用仕掛けの周辺を撮影する水中カメラを釣り用天秤に取り付ける板状のカメラ取付具であって、前記釣り用天秤の錘吊下部材に取り付ける取付部及び前記釣り用天秤の仕掛け側天秤棒を支持する天秤棒支持部を有する上位片と、前記水中カメラを取り付けるカメラ取付部及び前記カメラ取付部の下方側で錘を吊り下げる錘吊下部を有する下位片と、前記上位片と前記下位片とを連結する連結片とを備えていることを特徴とするカメラ取付具を提供するものである。
【００１０】
また、請求項２に係る考案は、下端に錘を取り付けた状態で水中に投入された釣り用仕掛けの周辺を撮影する水中カメラを道糸と釣り用仕掛けとの間に取り付けるカメラ取付具であって、道糸に取り付ける取付部を有する上位片と、前記水中カメラを取り付けるカメラ取付部及び前記カメラ取付部の下方側で釣り用仕掛けを取り付ける仕掛け取付部を有する下位片と、前記上位片と前記下位片とを連結する連結片とを備え、前記上位片の取付部、前記下位片のカメラ取付部及び仕掛け取付部が直線上に配置されていることを特徴としている。
【００１１】
なお、上述した「水中カメラ」とは、カメラ自体が防水機能を有するものだけでなく、通常のカメラを防水ケースに収容したものも含む概念である。
【考案の効果】
【００１２】
以上のように、請求項１に係る考案のカメラ取付具は、上位片の取付部を釣り用天秤の錘吊下部材に取り付けた状態で、釣り用天秤の仕掛け側天秤棒を上位片の天秤棒支持部に支持するようになっているので、仕掛け側天秤棒の先端に取り付けた釣り用仕掛けの周辺を撮影することができるように、下位片のカメラ取付部に水中カメラを取り付けておくと、水中で釣り用天秤が回転したり、向きを変えたりしても、釣り用天秤に対する水中カメラの撮影方向が変化することがなく、常に、釣り用仕掛けの周辺を撮影することができる。従って、水中カメラによって撮影した映像を確認することで、釣り用仕掛けの周辺を対象魚が遊泳しているか否かを常時把握することができる。
【００１３】
また、このカメラ取付具は、釣り用天秤を取り付ける上位片と、水中カメラを取り付ける下位片とが連結片によって連結されており、この連結片の存在によって、釣り用仕掛けを水中に投入する際、このカメラ取付具を介して水中カメラが取り付けられた釣り用天秤の回転が抑制されるので、仕掛け側天秤棒の先端に取り付けた釣り用仕掛けが絡まりにくい。
【００１４】
また、請求項２に係る考案のカメラ取付具は、上位片の取付部を道糸に取り付けると共に、下端に錘を取り付けた釣り用仕掛けをカメラ取付部の下方側に位置している下位片の仕掛け取付部に取り付けるようになっているので、釣り用仕掛けは、常時、下位片の仕掛け取付部から垂下した状態となり、下位片の仕掛け取付部に取り付けた釣り用仕掛けの周辺を撮影することができるように、下位片のカメラ取付部に水中カメラを取り付けておくと、水中で釣り用仕掛けが回転したり、向きを変えたりしても、釣り用仕掛けに対する水中カメラの撮影方向が変化することがなく、常に、釣り用仕掛けの周辺を撮影することができる。従って、水中カメラによって撮影した映像を確認することで、釣り用仕掛けの周辺を対象魚が遊泳しているか否かを常時把握することができる。
【００１５】
また、このカメラ取付具は、道糸を取り付ける上位片と、水中カメラを取り付ける下位片とが連結片によって連結されており、しかも、上位片の取付部、下位片のカメラ取付部及び仕掛け取付部が直線上に配置されているので、バランスが良く、釣り用仕掛けを水中に投入する際、釣り用仕掛けが絡まりにくい。
【図面の簡単な説明】
【００１６】
【図１】（ａ）はこの考案に係るカメラ取付具の一実施形態を示す平面図、（ｂ）は同上のカメラ取付具を示す側面図である。
【図２】防水ハウジングに収容された小型デジタルビデオカメラ（以下、水中カメラという。）を同上のカメラ取付具に取り付けた状態を示す図である。
【図３】道糸に釣り用天秤を介して釣り用仕掛けを接続する天秤仕掛けの場合に、同上のカメラ取付具を用いて釣り用天秤に水中カメラを取り付けた状態を示す図である。
【図４】道糸に釣り用仕掛けを直接接続する直結仕掛けの場合に、同上のカメラ取付具を用いて道糸と釣り用仕掛けとの間に水中カメラを取り付けた状態を示す図である。
【図５】（ａ）は同上のカメラ取付具の変形例を示す平面図、（ｂ）は同上のカメラ取付具の他の変形例を示す平面図である。
【考案を実施するための形態】
【００１７】
以下、実施の形態について図面を参照して説明する。図１（ａ）、（ｂ）に示すように、このカメラ取付具１は、一端側及び他端側に一対の穴１１ａ、１１ｂを有する上位片１１、上下方向に延びる他端側に上下一対の穴１２ａ、１２ｂを有する下位片１２及び上位片１１と下位片１２とを一端側で連結する一定幅（１２ｍｍ以上）の連結片１３からなるステンレス製の取付具本体１０と、取付具本体１０の穴１１ａ、１１ｂ、１２ｂに取り付けられた３つの２重リング２１、２２、２３と、下位の２重リング２３に取り付けられたスナップサルカン３０とを備えており、上位片１１の穴１１ｂ、下位片１２の穴１２ａ及び穴１２ｂが直線上に配置されている。
【００１８】
前記下位片１２の上位の穴１２ａには、図２に示すように、水中カメラＢＣを回動可能に取り付けるようになっており、同図に実線で示す位置と、同図に二点鎖線で示す位置との間の任意の位置に水中カメラＢＣを保持することができるようになっている。
【００１９】
以上のように構成されたカメラ取付具１を用いた水中カメラＢＣの釣具への取り付け方について以下に説明する。例えば、道糸に釣り用天秤を介して釣り用仕掛けを接続する天秤仕掛けの場合は、図２に実線で示す姿勢に水中カメラＢＣを取り付けて保持したカメラ取付具１を、図３に示すように、その２重リング２２に釣り用天秤ＦＢの仕掛け側天秤棒Ｂｂを挿通することによって支持すると共に、２重リング２１を釣り用天秤ＦＢの錘吊下用のスナップサルカンＳ１のスナップ部に引っ掛けて吊り下げることによって、釣り用天秤ＦＢにカメラ取付具１を介して水中カメラＢＣを取り付け、本来、釣り用天秤ＦＢの錘吊下用のスナップサルカンＳ１に吊り下げるべき錘Ｗを下位の２重リング２３に取り付けられたスナップサルカン３０のスナップ部に引っ掛けて吊り下げる。このようにして、釣り用天秤ＦＢに水中カメラＢＣを取り付けると、水中カメラＢＣの撮影方向が仕掛け側天秤棒Ｂｂに沿う方向に向くので、仕掛け側天秤棒Ｂｂの先端にスナップサルカンＳ２を介して取り付けられた釣り用仕掛けＦＧ１の周辺を撮影することができる。なお、カメラ取付具１に対する水中カメラＢＣの保持角度は、図２に実線で示す保持角度に限定されるものではなく、撮影状況に応じて、同図に実線で示す角度と二点鎖線で示す角度との間の任意の角度に調整すればよい。
【００２０】
このようにしてカメラ取付具１を介して釣り用天秤ＦＢに水中カメラＢＣを取り付けると、上位片１１の一端側が仕掛け側天秤棒Ｂｂの基端部に吊り下げられた状態で、上位片１１の他端側が釣り用天秤ＦＢの仕掛け側天秤棒Ｂｂを支持しているので、水中で釣り用天秤ＦＢが回転したり、向きを変えたりしても、釣り用天秤ＦＢに対する水中カメラＢＣの撮影方向が変化することがなく、常に、釣り用仕掛けＦＧ１の周辺を撮影することができる。従って、水中カメラＢＣによって撮影した映像を確認することで、釣り用仕掛けＦＧ１の周辺を対象魚が遊泳しているか否かを常時把握することができる。
【００２１】
また、このカメラ取付具１は、図１（ａ）に示すように、釣り用天秤ＦＢを取り付ける上位片１１と、水中カメラＢＣや錘Ｗを取り付ける下位片１２とが一定幅（１２ｍｍ以上）で上下方向に延びる連結片１３によって連結されており、この連結片１３の存在によって、釣り用仕掛けＦＧ１を水中に投入する際、このカメラ取付具１を介して水中カメラＢＣが取り付けられた釣り用天秤ＦＢの回転が抑制されるので、仕掛け側天秤棒Ｂｂの先端に取り付けた釣り用仕掛けＦＧ１が絡まりにくい。
【００２２】
一方、道糸に釣り用仕掛けを直接接続する胴付き仕掛け等の直結仕掛けの場合は、図２に二点鎖線で示す姿勢に水中カメラＢＣを取り付けて保持したカメラ取付具１を、図４に示すように、その２重リング２２に道糸ＦＬの先端に取り付けられたスナップサルカンＳ３のスナップ部に引っ掛けて吊り下げ、本来、道糸ＦＬに接続する釣り用仕掛けＦＧ２を下位の２重リング２３に取り付けられたスナップサルカン３０に接続すると、釣り用仕掛けＦＧ２は、水中カメラＢＣの下方側で、常時、下位片１２の穴１２ｂの真下に垂下した状態となるので、撮影方向が下方側を向いている水中カメラＢＣによって釣り用仕掛けＦＧ２の周辺を撮影することができる。
【００２３】
このようにして、カメラ取付具１を介して、道糸ＦＬと釣り用仕掛けＦＧ２との間に水中カメラＢＣを取り付けると、水中カメラＢＣの撮影方向が釣り用仕掛けＦＧ２の幹糸ＴＬに沿うように下方側を向くので、水中で釣り用仕掛けＦＧ２が回転したり、向きを変えたりしても、釣り用仕掛けＦＧ２に対する水中カメラＢＣの撮影方向が変化することがなく、常に、釣り用仕掛けＦＧ２の周辺を撮影することができる。
【００２４】
また、このカメラ取付具１は、図１（ａ）に示すように、道糸ＦＬに接続される上位片１１と、水中カメラＢＣや釣り用仕掛けＦＧ２を取り付ける下位片１２とが連結片１３によって連結されており、しかも、道糸ＦＬが接続される上位片１１の穴１１ｂ、水中カメラＢＣを取り付ける下位片１２の穴１２ａ及び釣り用仕掛けＦＧ２を取り付ける穴１２ｂが直線上に配置されているので、バランスが良く、釣り用仕掛けＦＧ２を水中に投入する際、釣り用仕掛けＦＧ２が絡まりにくい。
【００２５】
なお、上述した実施形態では、天秤仕掛け及び直結仕掛けの双方に対応することができるように構成されているが、これに限定されるものではなく、直結仕掛け専用のカメラ取付具であれば、上位片１１の穴１１ａ及び穴１１ａに取り付ける２重リング２１については、省略することも可能である。
【００２６】
また、上述した実施形態では、上位片１１の穴１１ａに２重リング２１が、下位片１２の穴１２ｂにスナップサルカン３０が取り付けられた２重リング２３がそれぞれ取り付けられているが、これに限定されるものではなく、釣り用天秤ＦＢの錘吊下用のスナップサルカンＳ１のスナップ部を穴１１ａに、錘Ｗや釣り用仕掛けＦＧ２にスナップサルカンをそれぞれ取り付けておく場合は、そういったスナップサルカンのスナップ部を穴１２ｂに直接掛止することができるのであれば、２重リング２１及びスナップサルカン３０が取り付けられた２重リング２３は省略することも可能である。
【００２７】
さらに、釣り用天秤を使用しない直結仕掛け専用のカメラ取付具の場合は、仕掛け側天秤棒を挿通する２重リング２２は不要であるので、道糸ＦＬに取り付けたスナップサルカンＳ３のスナップ部を穴１１ｂに直接掛止することができるのであれば、穴１１ａ及び２重リング２１に加えて、２重リング２２についても省略することができる。
【００２８】
また、上述した実施形態では、上位片１１と下位片１２とを一端側で連結する連結片１３が一定幅（１２ｍｍ以上）で上下方向に真っ直ぐ延びているが、これに限定されるものではなく、上位片１１と下位片１２とを一端側で連結するものであればよく、例えば、図５（ａ）に示すように、上下方向の中間部が外側に膨らむような形状を有していてもよく、同図（ｂ）に示すように、一定幅（１２ｍｍ以上）で円弧状に湾曲したものであってもよい。
【００２９】
また、上述した実施形態では、水中カメラとして防水ハウジングに収容された小型デジタルビデオカメラを使用しているが、これに限定されるものではなく、防水機能を有するビデオカメラ等を使用することも可能である。
【産業上の利用可能性】
【００３０】
本考案は、水中に投入した釣り用仕掛けの周辺を遊泳している魚等を水中カメラで撮影する場合に利用することができる。
【符号の説明】
【００３１】
１  カメラ取付具
１０  取付具本体
１１  上位片
１１ａ、１１ｂ  穴
１２  下位片
１２ａ  穴（カメラ取付部）
１２ｂ  穴
１３  連結片
２１  ２重リング（取付部）
２２  ２重リング（天秤棒支持部、取付部）
２３  ２重リング
３０  スナップサルカン（錘吊下部、仕掛け取付部）
ＢＣ  水中カメラ
Ｓ１、Ｓ２、Ｓ３  スナップサルカン
ＦＬ  道糸
ＦＢ  釣り用天秤
Ｂｂ  仕掛け側天秤棒
Ｗ  錘
ＦＧ１、ＦＧ２  釣り用仕掛け
ＴＬ  幹糸  
【図１】
0003232110.tif 000003
【図２】
0003232110.tif 000004
【図３】
0003232110.tif 000005
【図４】
0003232110.tif 000006
【図５】
0003232110.tif 000007